(57)【特許請求の範囲】
【請求項１】
信号記録媒体の信号に合焦した状態で信号トラックに追従させてトレースするべく対物レンズを駆動させるアクチュエータと、レーザー素子からの光ビームを信号記録媒体の信号面に導く光路中、及び前記信号面により反射された光ビームを光検出器に導く光路中に各種光学部品が組み込まれる光学ハウジングとから成り、該光学ハウジングに前記アクチュエータを取り付けて組み立てられる光ピックアップ装置において、光学ハウジングには、レーザー素子を駆動するレーザー駆動用集積回路が設置され、アクチュエータには中継基板を介してアクチュエータを駆動する駆動信号を供給するアクチュエータラインとレーザー駆動用集積回路からレーザー素子に駆動信号を供給するレーザー駆動ラインとの各パターンが同一のフレキシブル配線基板に形成され、該フレキシブル配線板は折り曲げて配線処理され、その際にアクチュエータラインとレーザー駆動用ラインが重なる各フレキシブル配線板のパターンの間にアースラインに接続されたシールド部が介在されるようにしたことを特徴とする光ピックアップ装置。
【請求項２】
信号記録媒体の信号に合焦した状態で信号トラックに追従させてトレースするべく対物レンズを駆動させるアクチュエータと、レーザー素子からの光ビームを信号記録媒体の信号面に導く光路中、及び前記信号面により反射された光ビームを光検出器に導く光路中に各種光学部品が組み込まれる光学ハウジングとから成り、該光学ハウジングに前記アクチュエータを取り付けて組み立てられる光ピックアップ装置において、光学ハウジングには信号記録媒体により反射された反射ビームを受光する光検出素子が設けられており、この光検出素子に接続される光検出素子ラインとアクチュエータラインとの各パターンが同一のフレキシブル配線基板に形成され、該フレキシブル配線板は折り曲げて配線処理され、その際に光検出素子ラインとアクチュエータラインが重なる各フレキシブル配線板のパターンの間にアースラインに接続されたシールド部が介在されるようにしたことを特徴とする光ピックアップ装置。
【発明の詳細な説明】
【０００１】
【発明の属する技術分野】
本発明は、光学ハウジングにアクチュエータを取り付けて組み立てられる光ピックアップ装置に関し、特に、機器本体側の回路基板との電気的結合の中継を行うフレキシブル配線板を用いる光ピックアップ装置に関する。
【０００２】
【従来の技術】
ディスク等の信号記録媒体に対して光学的に信号の読み取り、あるいは書き込みを行う光ピックアップ装置においては、レーザー駆動素子や光検出器と機器本体側の回路基板との間で電源供給や信号の授受を行うべく伝送ケーブルによりレーザー駆動素子や光検出器と機器本体側の回路基板と接続している。
【０００３】
光ピックアップ装置においては、その接続の際に前記回路基板側と光ピックアップ側との伝送ケーブルを結合するのにフレキシブル配線板を用いて中継するようにしている。
【０００４】
【発明が解決しようとする課題】
レーザー駆動用の集積回路が組み込まれた光ピックアップ装置は、ハウジング内にレーザー駆動用の集積回路、レーザー素子、アクチュエータ及び光検出素子などが組み込まれ、各電気部品はフレキシブル配線板により接続されている。斯かるフレキシブル配線基板はハウジング内を折り曲げて配置しなければならない、このように折り曲げた場合、例えばアクチュエータを駆動するアクチュエータラインとレーザー駆動用ラインが同じフレキシブル配線基板に配線さてれいる場合にはアクチュエータラインとレーザー駆動用ラインが重なることになると、アクチュエータラインのパルス信号がレーザー駆動用ラインに飛びこみ正確にレーザーの駆動ができないという問題があった。
【０００５】
【課題を解決するための手段】
本発明は、アクチュエータに中継基板を介して駆動信号を供給しフォーカス及びトラッキング制御を行うアクチュエータラインとレーザー駆動用集積回路からレーザー素子に接続し駆動信号を供給して光ビームを発光するレーザー駆動ライン及びアースラインに接続されたシールド部が同一のフレキシブル配線基板に配線され、該フレキシブル配線板を折り曲げて配線処理されることによりアクチュエータラインとレーザー駆動用ラインが重なる各フレキシブル配線板のパターンの間に前記シールド部が介在されるようにしたものである。
【０００６】
【実施例】
図１は本発明に係る光ピックアップ装置の一実施例を示す斜視図、図２は図１に示す実施例の要部を示すフレキシブル配線基板、図３は図２に示すフレキシブル配線基板の折り返した状態を示す説明図である。
【０００７】
１は信号記録媒体の信号面に照射させるレーザー光のフォーカス制御及びトラッキング制御を行う対物レンズ２を含む光学及び電気部品で構成されているアクチュエータであり、ハウジング３内に組み込まれている。４は各種光学部品への制御信号を供給するフレキシブル配線基板であり、所定の場所に配線すべく整形される折り返し部４ａ、４ｂ、４ｃ、４ｄ、４ｅを設けている。
【０００８】
また、前記フレキシブル配線基板４上には、レーザー駆動用ライン５とアクチュエータに接続されるアクチュエータライン６及びアースラインに接続された遮蔽効果を有するシールド部７が配線されており、前記レーザー駆動ライン５にはレーザー光を発生するレーザー素子（図示せず）を駆動するレーザー駆動用集積回路８が半田付けされ、前記ハウジング３に収納枠９を設けた収納枠９内に配置されている。
そして、前記アクチュエータライン６の先端はサスペンションワイヤー１１が半田付けされている中継基板１０に接続され、アクチュエータ１に制御信号を供給しフォーカス及びトラッキング制御するように構成されている。
【０００９】
斯かる構成において、図２に示したフレキシブル配線基板４は、折り返し部４ａ、４ｂ、４ｃ、４ｄ、４ｅで折り返すことにより図１の斜視図となり、斯かる状態は４ａを折り返したとき、シールド部７がレーザー駆動用ライン５上を直交して重なり、折り返し部４ｂを折り返すことによりアクチュエータライン６はシールド部７に重なる。この状態は図３に示したフレキシブル配線基板の折り返し状態を示す説明図であり、アクチュエータライン６とレーザー駆動用ライン５の間にはシールド部７が配置されることとなる。
【００１０】
したがって、前述した如く、アクチュエータライン６とレーザー駆動用ライン５が折り返しによる交差する部分はシールド部７によって遮蔽されているのでアクチュエータライン６のパルス信号がレーザー駆動用ライン５に飛び込むことがない。
【００１１】
また、光学ハウジングには信号記録媒体により反射された反射ビームを受光する光検出素子が設けられているが、この光検出素子が接続されている光検出素子ラインとアクチュエータライン６が同一フレキシブル配線基板に配線され、折り返しにより配線されることにより光検出素子ラインとアクチュエータライン６が重なる部分の間もシールド部を設けることにより同様な問題が解消される。
【００１２】
そして、本実施例では、前記シールド部７はアースラインに接続されているが、アースラインより浮いていても同様な効果を得ることができる。
【００１３】
【発明の効果】
以上述べた如く、本発明は、光学ハウジングには、レーザー素子を駆動するレーザー駆動用集積回路が設置され、アクチュエータには中継基板を介してアクチュエータを駆動する駆動信号を供給するアクチュエータラインとレーザー駆動用集積回路からレーザー素子に駆動信号を供給するレーザー駆動ラインとの各パターンが同一のフレキシブル配線基板に形成され、該フレキシブル配線板は折り曲げて配線処理され、その際にアクチュエータラインとレーザー駆動用ラインが重なる各フレキシブル配線板のパターンの間にアースラインに接続されたシールド部が介在されるようにしたので、アクチュエータをパルス駆動したとき、パルス信号がレーザー駆動用ラインに飛び込むことがなくレーザー素子がその影響を受けずに正確にレーザー光を駆動することができる。
【００１４】
また、光検出素子ラインとアクチュエータラインとの各パターンが同一のフレキシブル配線基板に形成され、該フレキシブル配線板は折り曲げて配線処理され、その際に光検出素子ラインとアクチュエータラインが重なる各フレキシブル配線板のパターンの間にアースラインに接続されたシールド部が介在されるようにしたのでアクチュエータをパルス駆動したとき、パルス信号が光検出素子ラインに飛び込むことがなく光検出素子がその影響を受けずに正確に受光することができる。
【００１５】
そして、両面のフレキシブル配線板でシールド部を設けることもなく安価な片面のフレキシブル配線板を採用することができるという優れた効果を有している。
【図面の簡単な説明】
【図１】本発明に係る光ピックアップ装置の一実施例を示す斜視図である。
【図２】図１に示す実施例の要部を示すフレキシブル配線基板である。
【図３】図２に示すフレキシブル配線基板の折り返した状態を示す説明図である。
【符号の説明】
１          アクチュエータ
３          ハウジング
４          フレキシブル配線基板
５          レーザー駆動ライン
６          アクチュエータライン
７          シールド部
８          レーザー駆動用集積回路
１０          中継基板
【図１】
0003837362.tif 000002
【図２】
0003837362.tif 000003
【図３】
0003837362.tif 000004